(57)【要約】【課題】乗用草刈機の草刈取幅を拡縮するために、メインカッターを有するモーアデッキの横側に、外側へ張出可能のサイドカッターを設ける形態では、このサイドカッターの刈取傾斜角度を変えることが多く、この伝動構成が煩雑化して、コスト高となる。【解決手段】モーアデッキ１の一側部に沿う前後位置に、メインカッター２側から連動のカウンタプーリ３と、刈取面傾斜角を変更可能のサイドカッター４の入力プーリ５とを設け、これら前後両プーリ３,５間をベルト６掛け連動することを特徴とする乗用草刈機の構成とする。【選択図】図１
2009136236.tif 000002
【特許請求の範囲】
【請求項１】
左右一対の前輪（１４）及び後輪（１５）を懸架する車体（９）の腹部にメインカッター（２）と、該メインカッター（２）のモーアデッキ（１）から一側方へ向け出退自在のサイドカッター（４）を備えた乗用草刈機において、モーアデッキ（１）の一側部に沿う前後位置に、メインカッター（２）側から連動のカウンタプーリ（３）と、刈取面傾斜角を変更可能のサイドカッタ−（４）の入力プーリ（５）とを設け、これら前後両プーリ（３）,（５）間をベルト（６）掛け連動することを特徴とする乗用草刈機。
【請求項２】
前記サイドカッター（４）の一定以上の起立回動Ｄによって、このサイドカッター（４）の伝動クラッチ（８）を切るように連動することを特徴とする請求項１、又は２に記載の乗用草刈機。
【発明の詳細な説明】
【技術分野】
【０００１】
この発明は、モーアデッキの一側部に出退可能のサイドカッターを有した乗用草刈機に関し、サイドカッターの伝動構成を簡単化するものである。
【背景技術】
【０００２】
モーアデッキの一側部に出退可能のサイドカッターを設ける技術（例えば、特許文献１参照）が知られている。
【特許文献１】特開２００５−１９８５２４号公報
【発明の開示】
【発明が解決しようとする課題】
【０００３】
乗用草刈機の草刈取幅を拡縮するために、メインカッターを有するモーアデッキの横側に、外側へ張出可能のサイドカッターを設ける形態では、このサイドカッターの刈取傾斜角度を変えることが多く、この伝動構成が煩雑化して、コスト高となる。
【課題を解決するための手段】
【０００４】
請求項１に記載の発明は、モーアデッキ１の一側部に沿う前後位置に、メインカッター２側から連動のカウンタプーリ３と、刈取面傾斜角を変更可能のサイドカッター４の入力プーリ５とを設け、これら前後両プーリ３,５間をベルト６掛け連動することを特徴とする乗用草刈機の構成とする。刈取時はメインカッター２の回転によって、モーアデッキ１の直下に案内される芝草を刈取ることができる。刈取幅を広くするときは、サイドカッター４を入力軸５側部の周りに外方へ回動して外方へ張出させる。このとき、サイドカッター４は、この入力プーリ５部の周りに上下に起伏回動して、刈取面の傾斜角度を変更することができる。これら刈取時の伝動は、モーアデッキ１のメインカッター２側からカウンタプーリ３を介して、モーアデッキ１横端部に沿う前後方向にわたって掛け渡されるベルト６によって入力プーリ５が伝動されて、サイドカッター４が伝動回動される。サイドカッター４は、前記入力プーリ５部の周りに刈取面傾斜角度が変更、調節されるが、カウンタプーリ３との間に掛け渡されるベルト６の捻れによって伝動状態を維持できる。
【０００５】
請求項２に記載の発明は、前記サイドカッター４の一定以上の起立回動Ｄによって、このサイドカッター４の伝動クラッチ８を切るように連動することを特徴とする。前記のようにサイドカッター４を起立状態に回動し又は収納姿勢とするときは、このサイドカッター４の一定以上の起立回動によって、前記カウンタ軸３からサイドカッター４への伝動の伝動クラッチ８が切りに作動されて、このサイドカッター４の伝動が切りになる。又、このサイドカッター４の刈取面起立角度が一定位置以下の場合は、伝動クラッチ８が入りの状態にあって、傾斜地面に沿った刈取姿勢でブレード７を回転して、芝草の刈取を行うことができる。
【発明の効果】
【０００６】
請求項１に記載の発明は、サイドカッター４の刈取面傾斜角を一定角以内で変更しても、カウンタプーリ３と入力プーリ５の間に掛け渡されるベルト６の捻れによって伝動状態が維持されるため、伝動構成を簡単にして、安価にすることができ、しかもサイドカッター４の刈取面傾斜角の変更を円滑に、容易に行うことができる。又、前後方向のベルト６の捻れはプーリ３，５からのベルト６外れを防止することができる。
【０００７】
請求項２に記載の発明は、サイドカッター４を傾斜回動することによって、モーアデッキ１による刈取進行位置横側の傾斜地面の芝草を、このサイドカッター４によって刈取ることができ、このサイドカッター４の起立角度を一定以上に大きくすると、これに連動して伝動クラッチ８が自動的に切りになって、サイドブレード７の回転が停止される。このため、サイドカッター４の起立回動Ｄが大きくなることによってサイドブレード７が露出状態となっても、この伝動回転の自動停止によって安全を図ることができる。しかも、このサイドカッター４の起立回動Ｄによって収納姿勢にしても、モーアデッキ１側のメインカッター２の伝動は行わせることができるため、メインカッター２による刈取作業を行うことができる。
【発明を実施するための最良の形態】
【０００８】
図例に基づいて、モーアデッキ１は、小形四輪走行形態の車体９の腹部に装着し、車体９後部に搭載のエンジン１０からベルト１１、メインテンションクラッチ１９等の連動機構を介して、このモーアデッキ１のブレード軸１２を伝動回転し、このブレード軸１２下端のメインブレード１３を回転して芝草の刈取を行うことができる。車体９の前部には左右一対の前輪１４を配置して、ステアリングハンドル１５によって操向することができる。又、車体９の後部には左右一対の後輪１６を配置して、前記エンジン１０によって駆動して走行することができる。車体９の中央部のステップフロア１７後部には運転席１８を設けて乗用操作形態の草刈機を構成する。サイドカッター４は、複数のサイドブレード７を配置してこのモーアデッキ１の一側（左側）に出退可能に設ける。
【０００９】
ここにおいて、この乗用草刈機の構成は、モーアデッキ１の一側部に沿う前後位置に、メインカッター２側から連動のカウンタプーリ３と、刈取面傾斜角を変車可能のサイドカッター４の入力プーリ５とを設け、これら前後両プーリ３,５間をベルト６掛け連動することを特徴とする。刈取時はメインカッター２の回転によって、モーアデッキ１の直下に案内される芝草を刈取ることができる。刈取幅を広くするときは、サイドカッター４を入力プーリ５の入力軸２６周りに外方へ回動Ｅして外方へ張出させる。このとき、サイドカッター４は、支持軸２４部の周りに上下に起伏回動Ｃして、刈取面の傾斜角度を変更することができる。これら刈取時の伝動は、モーアデッキ１のメインカッター２側からカウンタプーリ３を介して、モーアデッキ１横端部に沿う前後方向にわたって掛け渡されるベルト６によって入力プーリ５が伝動されて、サイドカッター４が伝動回動される。サイドカッター４は、前記入力プーリ５部の周りに刈取面傾斜角度が変更、調節されるが、カウンタプーリ３との間に掛け渡されるベルト６の捻れによって伝動状態を維持できる。
【００１０】
又、前記サイドカッター４の一定以上の起立回動Ｄによって、このサイドカッター４の伝動クラッチ８を切るように連動することを特徴とする。前記のようにサイドカッター４を起立状態に回動し又は収納姿勢Ｓとするときは、このサイドカッターの一定以上の起立回動によって、前記カウンタ軸３からサイドカッター４への伝動の伝動クラッチ８が切りに作動されて、このサイドカッター４の伝動が切りになる。又、このサイドカッター４の刈取面起立角度が一定位置以下の場合は、伝動クラッチ８が入りの状態にあって、傾斜地面に沿った刈取姿勢でブレード７を回転して、芝草の刈取を行うことができる。
【００１１】
又、前記サイドカッター４は、モーアデッキ１の一側面に沿わせ刈取面を起立させた状態で収納可能に構成してある。サイドカッター４をモーアデッキ１の横側へ張出して刈取幅を拡張するときは、このサイドカッター４の各ブレード７の回転面が刈取地面に沿うように接近して回転する。このサイドカッター４を前記入力プーリ５部の周りに回動して収納姿勢Ｓとするときは、このサイドカッター４をモーアデッキ１の横側面に沿わせるように接近させ刈取地面に沿う状態から起立状態に回動させる。このサイドカッター４の収納姿勢Ｓでは、このサイドカッター４の伝動を切りにするが、モーアデッキ１のメインカッター２のみ伝動して刈取作業を行うことができ、又、このメインカッター２の伝動を切りにして刈取作業を停止することができる。
【００１２】
前記モーアデッキ１は、中央部のブレード軸１２にメインブレード１３を設けて、前記エンジン１０側からベルト１１、メインクラッチ１９を介して伝動する。このメインブレード１３の回転によって刈取られる芝草は、このモーアデッキ１右側の排出口２０から外側方へ排出される。サイドカッター４は、小回転径のサイドブレード７（７Ｌ，７Ｍ，７Ｒ）が複数のブレード軸２１（２１Ｌ，２１Ｍ，２１Ｒ）により軸装され、三連形態に構成されている。各ブレード軸２１を軸装するサイドデッキ２２の基端部には、このブレード軸２１Ｒ上に一体の入力プーリ５の入力軸２６を設け、この入力軸２６の周りに回動可能のデッキアーム３９を設ける。このデッキアーム３９をモーアデッキ１の左側前部の支持ブラケット２３に対して、前進方向Ｆに沿う支持軸２４の周りに上下方向に起伏回動Ｃ，Ｄ可能に軸支する。このサイドカッター４の各サイドブレード７は、モーアデッキ１側のブレード７Ｒが最前位に配置されて、メインブレード１３の回転域の前側に一部重合するように設定している。これによってメインブレード１３とサイドブレード７Ｒとの間の芝草刈残しを少なくするように設定している。又、このサイドカッター４における左右各サイドブレード７Ｌ，７Ｍ，７Ｒは、このブレード軸２１Ｌ，２１Ｍ，２１Ｒを前後偏倚させて、回転域を相互に前後に重合させて、各サイドブレード７Ｌ，７Ｍ，７Ｒ間の芝草刈残しを少なくするように構成している。
【００１３】
前記モーアデッキ１の左側後部には、このモーアデッキ１部に支持させるカウンタ軸２７を立設し、このカウンタ軸２７の周りに回転自在のカウンタプーリ３を設け、前記メインブレード１３のブレード軸１２のメインプーリ２５との間をＶベルト２８を掛け渡して連動する。前記サイドカッター４の起伏回動Ｃ，Ｄ支持軸２４は、このカウンタ軸３から前方に略機体進行方Ｆに沿って延びる直線Ｌ上に沿って設け、この支持軸２４の周りにサイドカッター４を起伏回動Ｃさせて、このサイドカッター４の刈取面をモーアデッキ１横側の傾斜地面に沿わせて接近させることができる。前記サイドカッター４の右端ブレード軸２１Ｒ上の入力軸２６上端部に入力プーリ５を設け、この入力プーリ５と後方のカウンタプーリ３との間に、Ｖベルト６を掛け渡して、テンションプーリ２９を張圧させて伝動する構成としている。この入力軸２６から各ブレード軸２１Ｍ，２１Ｌへの連動は、各軸２１Ｒ，２１Ｍ，２１Ｌに固定のプーリ３０Ｒ，３０Ｍ，３０Ｌ間にわたってＶベルト３１を掛け渡して、各プーリ３０Ｒ，３０Ｍ間や、プーリ３０Ｍ，３０Ｌ間にはテンションプーリ３２，３３を張圧させて、連動構成し、入力プーリ５の回転によってベルト３１を介して各サイドブレード７を同方向へ回転して刈取作用を行うことができる構成としている。
【００１４】
このようなサイドカッター４は、前記メインブレード１３のブレード軸１２の回転によって、Ｖベルト２８，６，及び３１を介して伝動回転されるが、このブレード軸１２上のメインプーリ２５と、カウンタ軸２７上のカウンタプーリ３との間に掛け渡されるテンションクラッチプーリからなる伝動クラッチ８が設けられて、このテンションアーム３４を運転席１８横のクラッチレバー３５で操作することによって、ワイヤー３６連動等によって伝動クラッチ８を入り切り操作することができる。尚、これらサイドカッター４のクラッチ機構は、カウンタプーリ３と入力プーリ５との間に掛け渡されるベルト６のテンションプーリ２９を入切させることも可能である。又、図４のように、この伝動クラッチ８を操作するクラッチレバー３５には、前記サイドデッキ２２のアーム３７に連結のワイヤー３８を連結して、このサイドカッター４のサイドデッキ２２が一定角以上に起立回動Ｄされることによって、ワイヤー３８を介してクラッチレバー３５がクラッチ入り位置Ａから切り位置Ｂへ回動して、前記伝動クラッチ８を切り、サイドカッター４の伝動を停止するように構成している。
【００１５】
このサイドカッター４は、サイドデッキフレーム２２の基部に、前記入力プーリ５を有する入力軸２６の周りに前後回動Ｅ可能のデッキアーム３９を設け、このデッキアーム３９を前記支持ブラケット２３上の支持軸２４の周りに上下回動Ｃ，Ｄ可能に支持させる。このデッキアーム３９は、サイドデッキフレーム２２に対して入力軸２６の周りに回動Ｅ可能であると共に、ガスダンパーやスプリング等によってサイドカッター４が刈取姿勢Ｋとなるよう付勢してある。すなわち、サイドカッター４が刈取姿勢Ｋ状態で前進刈取作業中に、サイドカッター４前方に樹木や石等の障害物が接触すると、ガスダンパーやスプリングの付勢力に打ち勝ってサイドカッター４は入力軸２６周りに後方へ退避するよう構成されている。又、支持軸２４回りの上下回動Ｃ，Ｄは、この回動位置をラック機構、乃至停止ピン機構等によって固定可能に構成されてある。この刈取姿勢Ｋからサイドカッター４をモーアデッキ１側へ回動Ｅさせ、モーアデッキ１の外側端に沿わせた状態で、固定ピン乃至フック等により固定させることによって姿勢Ｎとすることができる。又、姿勢Ｎから支持軸２４周りに上方へ大きく起立回動Ｄさせて、収納姿勢Ｓに起立させることができる。
この収納姿勢Ｓのサイドカッター４は、モーアデッキ１の横側面上に沿って起立状態となるため、モーアデッキ１よりも高く上昇して、横外側への張出を小さくするものであるから、モーアデッキ１による刈取作業を制限し難い。
【００１６】
このようにサイドカッター１を入力プーリ５の入力軸２６の周りに内外側へ回動するときは、カウンタプーリ３とこの入力プーリ５との間の伝動ベルト６の張設状態は殆ど変わらない。又、サイドカッター４を支持軸２４の周りに上下に回動Ｃするときは、このサイドカッター４の入力軸２６がデッキアーム３９を介して支持軸２４の周りに回動するが、この支持軸２４の軸芯方向が略前後方向Ｌのカウンタプーリ３の方向に向けて設定されているため、入力プーリ５が支持軸２４周りに上下移動するが、これらカウンタプーリ３と入力プーリ５とのベルト６張設間隔は略一定に維持されている。このため、ベルト６は捻れた状態となって、テンションプーリ２９による張圧力の吸収を受けながらサイドカッター４の伝動回転を維持することができる。又、このサイドカッター４を刈取姿勢Ｋから刈取傾斜回動Ｃを経て、それ以上に大きく回動Ｄしたり、モーアデッキ１の横側面に沿わせて起立回動Ｄして収納姿勢Ｓにまで大きく回動するときは、この伝動ベルト６の捻れ角度も大きくなって伝動できない状態となるが、このときは、サイドカッター４の伝動は不要であるから、伝動クラッチ８を切りにすることができる。
【００１７】
又、このようにサイドカッター４が刈取姿勢Ｋから刈取傾斜回動Ｃを経て、それ以上に大きく回動Ｄしたり、収納姿勢Ｓに大きく回動することによって、ワイヤー３８を介して入り位置Ａにあるクラッチレバー３５を切り位置Ｂへ回動して、伝動クラッチ８を切りにし、サイドカッター４の伝動を切りにする。
【００１８】
前記モーアデッキ１の後端部には、リヤカバー４０を設けて、メインブレード１３の回転によって飛散される草や、石礫等を受けて、後方への飛散を防止する。このリヤカバー４０の後側部には、車体９のリヤアクスルハウジング４１部に吊り下げて取付けるリヤゴムカバー４２を設ける。このリヤゴムカバー４２は、該リヤカバー４０よりも下方に位置させて、下縁部を前後揺動自在に設定している。メインブレード１３を回転状態のままで車体９を後退させると、このリヤゴムカバー４２が接地して前側へ揺動されることがでるが、前側のリヤカバー４０の下縁に受け止められても、メインブレード１３の回転接触を受けることは少なく、このメインブレード１３による切断損傷を受け難い構成とすることができる。
【図面の簡単な説明】
【００１９】
【図１】乗用草刈機の平面図。
【図２】サイドカッター部の背面図。
【図３】サイドカッター部の平面図。
【図４】乗用草刈機の側面図。
【図５】伝動クラッチの連動機構図。
【符号の説明】
【００２０】
１    モーアデッキ
２    メインカッター
３    カウンタプーリ
４    サイドカッター
５    入力プーリ
６    ベルト
８    伝動クラッチ
９    車体
１４  前輪
１５  後輪
Ｄ    回動
【図１】
2009136236.tif 000003
【図２】
2009136236.tif 000004
【図３】
2009136236.tif 000005
【図４】
2009136236.tif 000006
【図５】
2009136236.tif 000007